(57)【要約】【課題】副鏡及び収納部を有する回動体の回転支持構造を簡略化すると共に、副鏡及び収納部の使い勝手を共に良好にすること。【解決手段】主鏡１と、該主鏡１の側方に隣接配置される回動体２と、該回動体２を１軸回りに回動自在に軸支する支持手段３とを備えた収納機能を有する鏡装置１０である。上記回動体２はその回動方向に異なる複数の面２ａ,２ｂを有し、少なくとも一面２ａに副鏡４が設けられると共に該副鏡４が設けられる面２ａとは異なる少なくとも一面２ｂに小物入れ用の収納部５が設けられる。上記副鏡４を前方Ａに向けて主鏡１と副鏡４とで一連の鏡面を形成する第１の回動位置Ｐ１と、上記収納部５を前方Ａに向けて主鏡１と隣接する位置で収納部５を開放する第２の回動位置とを任意に選択できるようにした。【選択図】図１
2010194061.tif 000002
【特許請求の範囲】
【請求項１】
主鏡と、該主鏡の側方に隣接配置される回動体と、該回動体を１軸回りに回動自在に軸支する支持手段とを備え、上記回動体はその回動方向に異なる複数の面を有し、少なくとも一面に副鏡が設けられると共に該副鏡が設けられる面とは異なる少なくとも一面に小物入れ用の収納部が設けられ、上記副鏡を前方に向けて主鏡と副鏡とで一連の鏡面を形成する第１の回動位置と、上記収納部を前方に向けて主鏡と隣接する位置で収納部を開放する第２の回動位置とを任意に選択できるようにしたことを特徴とする収納機能を有する鏡装置。
【請求項２】
上記支持手段による回動体の軸支部と該軸支部から最も離れた回動体の外端部との間の最大横幅寸法が、該軸支部から主鏡の前縁部までの最小横幅距離よりも短く設定され、且つ、該軸支部から最も離れた回動体の外端部を境にして両隣の異なる面に副鏡又は収納部のいずれかを設けたことを特徴とする請求項１記載の収納機能を有する鏡装置。
【発明の詳細な説明】
【技術分野】
【０００１】
本発明は、収納機能を有する鏡装置に関し、詳しくは副鏡と収納部とを選択的に使用できるようにするための鏡装置に関するものである。
【背景技術】
【０００２】
三面鏡を備えるミラーキャビネットにおいて、キャビネット本体の空間を有効利用して収納量の増加を図るために、ミラーキャビネット本体を大型化することなく収納量を増加する構成が求められていた。
【０００３】
その一例として従来から、センターミラーと左右一対のサイドミラー扉とを備えた扉体付きミラーキャビネットが知られている（例えば、特許文献１参照）。
【０００４】
この特許文献１では図６に示すように、センターミラー１９の側方に配置されるサイドミラー扉２０は、ミラー前扉２１と後扉２２との２枚扉で構成され、後扉２２の一端を内側軸２３を介してキャビネット本体２５側に回動自在に取り付け、後扉２２の他端に外側軸２４を介してミラー前扉２１の一端を回動自在に取り付け、ミラー前扉２１と後扉２２とを重ねた状態で両者を内側軸２３を中心に外側に開くことにより後扉２２の背後に設けた収納棚２６を使用できるようにし（図６の状態）、一方、後扉２２を閉じたままでミラー前扉２１だけを外側軸２４を中心に内側に開くことにより三面鏡として使用できるようにしたものである。
【先行技術文献】
【特許文献】
【０００５】
【特許文献１】特開２００３−１８９９５０号公報
【発明の概要】
【発明が解決しようとする課題】
【０００６】
ところが前記特許文献１の従来例では、内側軸２３と外側軸２４との２軸でミラー前扉２１と後扉２２とを回転支持しているため、支持構造が複雑になる。また仮りにサイドミラー扉２０の外側方に壁パネルとか建具などの障害物がある場合は、後扉２２を外側へ開くときにその開き角度θが９０°以下に規制されてしまい、この場合、後扉２２の背面に設けた収納棚２６を大きく開くことができず、使いづらいものである。
【０００７】
本発明は上記の従来の問題点に鑑みて発明したものであって、その目的とするところは、副鏡及び収納部を有する回動体を簡易な１軸回転支持構造にでき、しかも副鏡及び収納部の使い勝手を共に良好にできるようにした収納機能を有する鏡装置を提供することにある。
【課題を解決するための手段】
【０００８】
前記の課題を解決するために、本発明は、主鏡１と、該主鏡１の側方に隣接配置される回動体２と、該回動体２を１軸回りに回動自在に軸支する支持手段３とを備えた収納機能を有する鏡装置である。上記回動体２はその回動方向に異なる複数の面２ａ,２ｂを有し、少なくとも一面２ａに副鏡４が設けられると共に該副鏡４が設けられる面２ａとは異なる少なくとも一面２ｂに小物入れ用の収納部５が設けられる。上記副鏡４を前方Ａに向けて主鏡１と副鏡４とで一連の鏡面を形成する第１の回動位置Ｐ１と、上記収納部５を前方Ａに向けて主鏡１と隣接する位置で収納部５を開放する第２の回動位置Ｐ２とを任意に選択できるようにしたことを特徴としている。
【０００９】
このような構成とすることで、従来の２軸回転支持構造と比較して簡易な１軸回転支持構造で、回動体２を回動させて、副鏡４を使用する第１の回動位置Ｐ１と収納部５を使用する第２の回動位置Ｐ２とを任意に選択できるようになり、しかも回動体２の外側方に仮りに壁パネルなどの障害物が存在していても、回動体２の回動角度が規制されないようにしながら角度調整ができ、これにより副鏡４の使用時には、主鏡１では目配りが届かぬ横顔や側頭部などが見やすくなり、一方、収納部５の使用時には、収納部５への収納物の出し入れが容易となる。
【００１０】
また、上記支持手段３による回動体２の軸支部６と該軸支部６から最も離れた回動体２の外端部２ｆとの間の最大横幅寸法Ｄが、該軸支部６から主鏡１の前縁部１ａまでの最小横幅距離Ｅよりも短く設定され、且つ、該軸支部６から最も離れた回動体２の外端部２ｆを境にして両隣の異なる面２ａ,２ｂに副鏡４又は収納部５のいずれかを設けるのが好ましく、この場合、回動体２を主鏡１と干渉しない範囲で且つ主鏡１にできる限り近づけた位置で回動可能となるので、副鏡４の使用時には主鏡１と副鏡４とを連続する一連の鏡面として形成でき、一方、収納部５の使用時には主鏡１に隣接した位置で収納部５内への収納物の出し入れを一層容易にできる。
【発明の効果】
【００１１】
本発明は、副鏡と収納部とを有する回動体を、従来の２軸回転支持構造と比較して簡易な１軸回転支持構造とすることができるものであり、しかも、副鏡の使用時には主鏡では目配りが届かぬ横顔や側頭部などが見やすくなり、一方、収納部の使用時には収納部への収納物の出し入れが一層容易となり、使い勝手を共に良好にできるものである。
【００１２】
また本発明は、上記回動体を主鏡と干渉しない範囲で且つ主鏡にできる限り近づけた位置で回動させることにより、副鏡の使用時には主鏡と副鏡とを連続する一連の鏡面として形成でき、一方、収納部の使用時には主鏡に隣接した位置で収納部内への収納物の出し入れを一層容易にできるものである。
【図面の簡単な説明】
【００１３】
【図１】本発明の収納機能を有する鏡装置の一例を示し、（ａ）は回動体を副鏡を使用する第１の回動位置に回動させた状態を示す平面図であり、（ｂ）は（ａ）の前方から見た斜視図である。
【図２】（ａ）は同上の回動体を収納部を使用する第２の回動位置に回動させた状態を示す平面図であり、（ｂ）は（ａ）を前方から見た斜視図である。
【図３】（ａ）は同上の回動体を軸支するステー部材の側面断面図、（ｂ）は斜視図である。
【図４】同上の回動体の他の実施形態を示す平面図である。
【図５】同上の回動体の更に他の実施形態を示す平面図である。
【図６】従来のミラーキャビネットのサイドミラー扉を開いた状態の斜視図である。
【発明を実施するための形態】
【００１４】
以下、本発明を添付図面に示す実施形態に基いて説明する。
【００１５】
図１（ａ）は洗い場１１の壁面１２中央に固定される主鏡１と、その両側に隣接して配置される一対の回動体２とを備えた収納機能を有する鏡装置１０の一例を示している。
【００１６】
本例の一対の回動体２は左右対称構造を有しており、図１（ｂ）に示すように、主鏡１と略同じ上下寸法を有する三角筒形をした箱体で構成されており、異なる三面２ａ,２ｂ,２ｃのうちの少なくとも一面２ａに副鏡４が取り付けられ、少なくとも他の一面２ｂに棚板５ｂで仕切られた小物入れ用の収納部５が設けられている。
【００１７】
上記回動体２は、支持手段３を構成する上下のステー部材３Ａを用いて１軸回りに回動自在に軸支されており、副鏡４を前方Ａに向けて主鏡１と副鏡４との間で一連の鏡面を形成する第１の回動位置Ｐ１（図１）と、収納部５を前方Ａに向けて主鏡１と隣接する位置で収納部５を開放する第２の回動位置Ｐ２（図２）とを任意に選択できるようにしている。本例では、回動体２の第１の回動位置Ｐ１における主鏡１と副鏡４となす平面視角度θ１、及び、上記第２の回動位置Ｐ２における主鏡１と収納部５の前面開口部５ａとのなす平面視角度θ２は、いずれも、９０°よりも広角度に設定される。
【００１８】
上下のステー部材３Ａは、図３（ａ）に示すように、その一端９ａが洗い場１１の壁面１２に対して固定され、他端９ｂが回動体２の上下両端部に設けた上孔７と下孔８にそれぞれ嵌め込まれている。さらにステー部材３Ａの他端９ｂに対して上孔７及び下孔８がそれぞれ抜き差し可能となるように、呑み込み代Ｆの深さが決められている。
【００１９】
ここで、図３（ｂ）において、上記ステー部材３Ａによる回動体２の軸支部６と該軸支部６から最も離れた回動体２の外端部２ｆ（三角筒の頂部）までの寸法を最大横幅寸法Ｄとし、該軸支部６から主鏡１の前縁部１ａまでの距離を最小横幅距離Ｅとしたとき、ＤがＥより短く設定され且つＥがステー部材３Ａの壁面１２からの突出長Ｇよりも小さくなるように決められている。さらに、上記回動体２の三面２ａ,２ｂ,２ｃのうち、上記最大横幅寸法Ｄとなる外端部２ｆを境にして前後両隣の二面２ａ,２ｂの一方に副鏡４、他方に収納部５が設けられている。これら三面２ａ,２ｂ,２ｃはいずれも軸支部６からの寸法が上記最大横幅寸法Ｄよりも小さいものであり、これにより壁面１２や主鏡１の前縁部１ａに当たらないように回動体２を回動させることができる。なお、回動体２の別の面２ｃには副鏡４又は収納部５のいずれか一方を設ける場合、或いは、両方とも設けない場合のいずれでもよい。
【００２０】
しかして、上記構成の回動体２は、従来の２軸回転支持構造と比較して簡易な１軸回動支持構造であるので、回動体２を回動させるだけで、副鏡４を使用する第１の回動位置Ｐ１（図１）と収納部５を使用する第２の回動位置Ｐ２（図２）とを任意に選択できるようになり、しかも回動体２の外側方に側壁１２ａ（図１（ａ））が存在していても、この側壁１２ａによって回動体２の回動角度が規制されないようにしながら角度調整が自在にできるようになる。
【００２１】
また本例では、副鏡４の使用位置を主鏡１に対して９０°以上の広角度θ１としているので、通常の三面鏡を形成でき、主鏡１では目配りが届かぬ横顔や側頭部等が左右の副鏡４により見やすくなり、例えば、浴室内で毛染めをする際は仕上がりなどが容易に確認できるようになり、またこのとき毛染め液が壁面１２側に向いた収納部５内面や収納物を汚したりする心配もないため、仕上がり具合を確認しながら衛生的に毛染めをしたいというユーザのニーズにも十分に応えることができる。
【００２２】
一方、収納部５の使用時には、収納部５の前面開口部５ａを主鏡１に対して９０°以上の広角度θ２となるので、収納物の出し入れに最適となり、一方、収納部５を使用しないときは背面側（壁面１２側）に向けられるので、中の収納物が隠れて見栄えを良くできると共に、洗髪、洗体時の泡やシャワー散水が収納部５内に浸入しにくくなり、濡れやカビ発生を防止できるものである。
【００２３】
さらに本例では、回動体２を主鏡１と干渉しない範囲で且つ主鏡１にできる限り近づけた位置で回動させることができるので、副鏡４の使用時には主鏡１と副鏡４とを連続する一連の鏡面として形成でき、一方、収納部５の使用時には主鏡１に隣接した位置で収納物の出し入れ操作をより簡単に行なうことができる。
【００２４】
また、回動体２は水平に回転するので、回動時或いは静止時の安定性が良く、収納部５内の収納物が倒れたり、落下することがないものであり、また清掃等のメンテナンス時には上下のステー部材３Ａから回動体２を簡単に取り外すことができ、メンテナンスが容易になる利点もある。
【００２５】
また、左右の回動体２は主鏡１とは独立して設けられるので、洗い場１１の壁面１２に既設の一枚鏡（主鏡１）の側方位置に、回動体２を後付けするだけで、低コストでしかも簡単に、収納部５を有する二面鏡或いは三面鏡としての機能を持たせることができる。しかも左右の回動体２,２を独立して回動させることができるので、三面鏡としての使用形態と、二面鏡として使用形態と、主鏡１のみによる一面鏡としての使用形態とを任意に選択することができる。また、左右両方の収納部５を使用する形態と、左右いずれか一方の収納部５のみを使用する形態とを任意に選択できるようになる。
【００２６】
なお、回動体２の形状として、収納部５の収納量を広げるためには、三角筒状に形成するのが好ましいが、勿論これに限らず、他の形状として、例えば図４に示すように、一部に平坦面２ｄを有する略半円筒状とし、平坦面２ｄに副鏡４を設け、円弧面２ｅに収納部５の前面開口部５ａを設けたものであってもよい。さらに図５に示すように、回動体２を四角筒状とし、４面のうち少なくとも一面２ａに副鏡４、少なくとも一面２ｂに収納部５を設けたものであってもよい。
【００２７】
前記実施形態では、回動体２を主鏡１の両側に配置したが、主鏡１の片側のみに配置したものであってもよい。
【産業上の利用可能性】
【００２８】
本発明の収納機能を有する鏡装置１０は、洗い場１１の壁面１２に取り付ける場合に限らず、従来例で説明したミラーキャビネットのような洗面ドレッシングに取り付けることも可能である。
【符号の説明】
【００２９】
１  主鏡
１ａ  前縁部
２  回動体
２ａ,２ｂ  異なる面
２ｆ  外端部
３  支持手段
３Ａ  ステー部材
４  副鏡
５  収納部
６  軸支部
７  上孔
８  下孔
１０  鏡装置
Ａ  前方
Ｄ  最大横幅寸法
Ｅ  最小横幅距離
Ｐ１  第１の回動位置
Ｐ２  第２の回動位置
【図１】
2010194061.tif 000003
【図２】
2010194061.tif 000004
【図３】
2010194061.tif 000005
【図４】
2010194061.tif 000006
【図５】
2010194061.tif 000007
【図６】
2010194061.tif 000008